(57)【要約】      （修正有）【課題】従来よりも通風性が高く衛生的であると同時に高い機械的強度を備えることを可能とする組立式ペットハウスの提供。【解決手段】本体部２は、収容空間３の背面を覆う予め定められた外形状を有する背面板部材１０と、背面板部材と少なくともその下端から予め定められた高さ位置まで同じ外形状を有する複数枚の枠板部材１１と、これらをそれぞれ予め定められた間隔を持って平行に並べられた状態で取り外し可能に連結される連結機構と、を備え、前記連結機構は、背面板部材と複数枚の枠板部材の各一対の脚部の上方の同一高さ位置にそれぞれ形成された同じ口径の貫通孔と、各一対の脚部の上方の全ての板部材の貫通孔にわたって挿入される一対の貫通軸と、各貫通軸の両端部を背面板部材の外表面と最前面の枠板部材の外表面とに解除可能に固定する固定機構と、各貫通軸が挿入されて板部材同士の間隔を維持する複数の円筒形状のスペーサ部材５と、を備える。【選択図】図１
2020115808.tif 000002
【特許請求の範囲】
【請求項１】
内側にペットの収容空間を形成する本体部が、組立・分解可能に構成される組立式ペットハウスであって、
前記本体部は、前記収容空間の背面を覆う予め定められた外形状を有する背面板部材と、前記背面板部材と少なくともその下端から予め定められた高さ位置まで同じ外形状を有する複数枚の枠板部材と、前記背面板部材の前方位置に前記複数枚の枠部材がそれぞれ予め定められた間隔を持って平行に並べられた状態で取り外し可能に連結される連結機構と、を備え、これら互いに連結された複数枚の枠板部材の内側に前記収容空間が形成されるものであり、
前記背面板部材および前記複数枚の枠板部材のそれぞれは、前記収容空間の左右両側で前記床面上に接地される一対の脚部を備え、
前記連結機構は、前記背面板部材および前記複数枚の枠板部材の各一対の脚部の上方の同一高さ位置にそれぞれ形成された同じ口径の貫通孔と、各一対の脚部の上方の前記背面板部材から最前面の枠板部材までの全ての板部材の貫通孔にわたって挿入される一対の貫通軸と、各貫通軸の両端部を前記背面板部材の外表面と前記最前面の枠板部材の外表面とに解除可能に固定する固定機構と、前記背面板部材とその直ぐ前方の枠板部材の間および各枠板部材の間で各貫通軸が挿入されて板部材同士の間隔を維持する複数の円筒形状のスペーサ部材と、を備えており、
前記背面板部材および前記複数枚の枠板部材が、予め定められた厚みを有する板材製であることを特徴とする組立式ペットハウス。
【請求項２】
前記固定機構は、貫通軸の両端部にそれぞれ穿設された雌ねじ部と、各雌ねじ部に螺合する雄ねじ部と前記貫通孔の口径より大きい径の頭部を有して、間に前記スペーサ部材を介在させた前記背面板部材および前記複数枚の枠部材の全てを挟んで前記貫通軸の両端部からネジ締め固定する一対の固定ネジと、を備えたものであることを特徴とする請求項１に記載の組立式ペットハウス。
【請求項３】
前記本体部がドーム型であって、前記背面板部材および前記複数枚の枠板部材が略山形の外形状を有し、
前記連結機構は、前記背面板部材および前記複数枚の枠板部材の各頂部付近に形成された貫通孔と、これら前記背面板部材から前記最前面の枠板部材までの全ての板部材の頂部付近の貫通孔にわたって挿入される一本の頂部用貫通軸と、前記頂部用貫通軸の両端部を前記背面板部材の外表面と前記最前面の枠板部材の外表面とに解除可能に固定する頂部用の固定機構と、頂部付近で前記背面板部材とその直ぐ前方の枠板部材の間および各枠板部材の間で前記頂部用貫通軸が挿入されて板部材同士の間隔を維持する複数個の円筒形状のスペーサ部材と、をさらに備え、
前記複数枚の枠板部材のそれぞれには、前記一対の脚部の前記床面上の同一高さ位置に対向して形成された一対の切欠き溝部が設けられており、
左右両端辺部が最前面の枠板部材から前記背面板部材に達するまで全ての一対の切り欠き溝部にわたってスライド挿入されて前記収容空間の底面を形成する底板部材をさらに備えていることを特徴とする請求項１又は２に記載の組立式ペットハウス。
【請求項４】
最前面の枠板部材の後面に配されて前記収容空間の前面開口に対して開閉する扉部材をさらに備え、
前記扉部材は、前記最前面の枠板部材の外形状より小さい輪郭を有すると共に、その頂角部と底辺両側の底角部とに切欠き形成された凹部が設けられており、前記開口に対する閉状態にて、前記頂角部に設けられた凹部が最前面とその直後の枠板部材の間に配置された頂部付近のスペーサ部材周りに回動可能に前記頂部付近のスペーサ部材に下方から遊嵌状態で掛止され、前記底辺両側の底角部に設けられた２つの凹部が、最前面とその直後の枠板部材の間の一対の脚部の領域に配された２つのスペーサ部材に上方からそれぞれ離脱可能に掛止されるものであり、
前記頂部付近のスペーサ部材の周りに配され、前記扉部材の後方からその直後の枠板部材までにわたる長さで前記扉部材の後方への移動を規制するスリーブ部材を備えていることを特徴とする請求項３に記載の組立式ペットハウス。
【請求項５】
前記複数枚の枠板部材のうちの少なくとも一枚には、一対の脚部の間に一体的に形成された補強リブが設けられていることを特徴とする請求項３又は４に記載の組立式ペットハウス。
【請求項６】
前記本体部がベッド型であって、前記背面板部材および前記複数枚の枠板部材が略Ｈ字形の外形状を有し、連結された全板部材の上方に、ベッド用マット部材が載置される断面凹形状の収容空間を形成していることを特徴とする請求項１又は２に記載の組立式ペットハウス。
【発明の詳細な説明】
【技術分野】
【０００１】
本発明は、従来よりも高い通風性と衛生性と共に高い機械的強度を備えた、分解収納可能な組立式ペットハウスに関するものである。
【背景技術】
【０００２】
近年、犬や猫等の小動物ペット用のハウスとして様々なものが市販されている。その中で、住宅やホテル等の施設の屋内に設置されるペットハウスとしては、不使用時に分解して省スペースで収納できる組立式のものが好まれている。従来の組立式ペットハウスとしては、プレートやパネルなどの面単位の部材構成が組立・分解が容易なものとして一般的であった。
【０００３】
例えば、屋根のある家型では、ペットの収容空間を囲む本体となる四側面を互いに独立した四枚の側面プレートを互いのスロットを係合させて組み合わせて形成し、その中に底面プレートを設置すると共に上部に屋根用プレートを載せる構成のもの（特許文献１を参照）、また、底面と四側面を連続した折り畳み式のパネルでボックス型に形成し、その上に屋根部を載せる構成のもの（特許文献２を参照）があった。また、キューブ型では、展開可能に連結された六面のパネルから構成されるものもある（特許文献３を参照）。
【先行技術文献】
【特許文献】
【０００４】
【特許文献１】実用新案登録第３１７３１３６号公報
【特許文献２】実用新案登録第３１１５６５４号公報
【特許文献３】実用新案登録第３２０８８５７号公報
【発明の概要】
【発明が解決しようとする課題】
【０００５】
しかしながら、上記の如き従来の組立式ペットハウスは、面単位の部材構成であるため、構成部材が紙製あるいはプラスチック製の段ボールや布材を混在させたものなど軽量な材質を採用していることから、機械的強度が弱く、地震時等の落下物によって潰れる恐れがあった。
【０００６】
しかも、収納空間が面部材で囲まれるため、通風性が悪く、内部が湿気やすいので、内部で使用するマット等にカビが発生する恐れがあり、不衛生になりやすいことから、長期の利用に適さないという問題があった。
【０００７】
本発明の目的は、上記問題点に鑑み、従来よりも通風性が高く衛生的であると同時に高い機械的強度を備えることを可能とする組立式ペットハウスを提供することにある。
【課題を解決するための手段】
【０００８】
上記目的を達成するため、本発明に係る組立式ペットハウスは、内側にペットの収容空間を形成する本体部が、組立・分解可能に構成される組立式ペットハウスであって、
前記本体部は、前記収容空間の背面を覆う予め定められた外形状を有する背面板部材と、前記背面板部材と少なくともその下端から予め定められた高さ位置まで同じ外形状を有する複数枚の枠板部材と、前記背面板部材の前方位置に前記複数枚の枠部材がそれぞれ予め定められた間隔を持って平行に並べられた状態で取り外し可能に連結される連結機構と、を備え、これら互いに連結された複数枚の枠板部材の内側に前記収容空間が形成されるものであり、
前記背面板部材および前記複数枚の枠板部材のそれぞれは、前記収容空間の左右両側で前記床面上に接地される一対の脚部を備え、
前記連結機構は、前記背面板部材および前記複数枚の枠板部材の各一対の脚部の上方の同一高さ位置にそれぞれ形成された同じ口径の貫通孔と、各一対の脚部の上方の前記背面板部材から最前面の枠板部材までの全ての板部材の貫通孔にわたって挿入される一対の貫通軸と、各貫通軸の両端部を前記背面板部材の外表面と前記最前面の枠板部材の外表面とに解除可能に固定する固定機構と、前記背面板部材とその直ぐ前方の枠板部材の間および各枠板部材の間で各貫通軸が挿入されて板部材同士の間隔を維持する複数の円筒形状のスペーサ部材と、を備えており、
前記背面板部材および前記複数枚の枠板部材が、予め定められた厚みを有する板材製でであることを特徴とする。
【０００９】
以上の構成においては、内側にペットの収容空間を形成する本体部が、背面板部材と、前記背面板部材と少なくともその下端から予め定められた高さ位置まで同じ外形状を有する複数枚の枠板部材とが背面板部材の前方位置にそれぞれ予め定められた間隔を持って平行に並べられた状態で連結機構によって取り外し可能に連結されて構成されるものであるため、収容空間を面状に囲むのは背面板部材のみで、他の板部材は枠形状である。したがって、背面板部材および枠板部材はそれぞれある程度厚みのある板材製とすることができ、組立後は、従来の段ボールや布材製のものに比べて格段に機械的強度が高いペットハウスとすることができる。また、各枠板部材は連結状態でスペーサ部材によって互いに間隔が保持されているため、屋内設置であってもハウス全体で高い通風性が得られる。しかも、分解して各パーツを清掃できるため、衛生的な長期使用を可能とする。さらに、構成部材の素材を適宜選択することによって、少なくとも汚れやすい部分の丸洗が可能となり、衛生性をさらに高めることができる。
【００１０】
なお、背面板部材および複数枚の枠板部材は、それぞれある程度以上の厚みと強度を有する板材とすることによって、並列に連結された状態で自立すると供にその組立形態を保持することができる。具体的には、従来の組立式ペットハウスでは用いられなかった天然の木材や、木材と同様の強度、加工性を備えた所謂木質ボードと言われるものの中から適宜選択できる。木質ボードとしては、木材などの植物繊維を原料として成型された中密度繊維板（ＭＤＦ）や木材チップを原料としてい成型されたパーティクルボード等を採用すれば、木材と同様の軽量で高い加工性と強度という特性が低コストで得られる。特にＭＤＦは、天然木材に比べて安価で塗装仕上がりもきれいであることから好適である。その厚みは１０〜２０ｍｍが自立性および強度と同時に加工性の上で好適な範囲である。その他、プラスチック製とすることも可能である。
【００１１】
また、背面板部材と枠板部材とは、少なくとも下端から予め定められた高さ位置まで同じ外形状を有するものであるため、連結機構を、まずその高さ位置までに設けることで簡便な構成とすることができる。即ち、連結機構は、背面板部材と枠板部材の各一対の脚部の同一高さ位置にそれぞれ形成された同じ口径の貫通孔にそれぞれ一対の貫通軸を挿入して両端部を固定機構で解除可能に固定する構成とするため、背面板部材と枠板部材は少なくとも貫通孔が設けられる高さ付近まで同一の外形状とすれば良い。一方、貫通孔付近より上方の外形状は、自由度をもたせることができ、デザイン性が高くなる。また、全高さに渡って同一外形状とすることも可能である。
【００１２】
また、本発明による連結機構は部材数は比較的多くても、組立・分解作業は簡便で済む。即ち、まず一対の貫通軸を背面板部材の対応する貫通孔に挿入して一端部を固定しておき、背面板部材の前方に向けて、順次、貫通軸にスペーサ部材を通した後に枠板部材の対応する貫通孔を通して背面板部材に対して平行に組み込むという作業を繰り返していくだけで、複数枚の枠板部材を所定間隔を持って並設することができ、最前面の枠板部材の組み込みの後に、各貫通軸の他端部を固定機構で固定するだけで全部材の連結が完了し、全枠部材の内側に通風性の高いペット収容空間が形成される。そして固定機構を解除して、貫通軸から枠板部材とスペーサ部材を順次抜いて取り外していくだけで本体部を分解することができる。
【００１３】
固定機構としては、各貫通軸の両端部を背面部材と最前面の枠板部材に対して解除可能に固定できるものであれば広く採用可能であるが、できるだけ固定作業が簡便なものが望まれる。例えば、各貫通軸の両端部にそれぞれ穿設された雌ねじ部と、両側雌ねじ部に螺合する雄ねじ部と前記貫通孔の口径より大きい径の頭部を有する一対の固定ねじとからなる構成が好適である。この場合、前記スペーサ部材を介在させた前記背面板部材および前記複数枚の枠板部材の全ての貫通孔に挿通された貫通軸の両端部から固定ねじでネジ締めすれば、両側の固定ねじの頭部同士の間でこれら背面板部材と枠板部材の全てが挟持された状態で固定され、簡単に全部材の連結が完了する。そして分解時には、固定ねじを緩めて外すだけで、枠板部材およびスペーサ部材を貫通軸から抜いて取り外すことができる。
【００１４】
また、本発明による組立式ペットハウスでは、本体部の実際の形態として各種考えられるが、第１にドーム型が挙げられる。この場合、前記背面板部材および前記複数枚の枠板部材が略山形の外形状を有するものとなり、連結機構は、前記背面板部材および前記複数枚の枠板部材の一対の脚部における貫通孔と貫通軸と固定機構による２点の連結に加えて、前記背面板部材および前記複数枚の枠板部材の頂部付近での計３点での連結構成とすることで安定な組立構造が得られる。
【００１５】
即ち、前記背面板部材および前記複数枚の枠板部材の各頂部付近に形成された貫通孔と、前記背面板部材から前記最前面の枠板部材までの全ての板部材の頂部付近の貫通孔にわたって挿入される一本の頂部用貫通軸と、前記頂部用貫通軸の両端部を前記背面板部材の外表面と前記最前面の枠板部材の外表面とに解除可能に固定する頂部用の固定機構と、頂部付近で前記背面板部材とその直ぐ前方の枠板部材の間および各枠板部材の間で前記頂部用貫通軸が挿入されて板部材同士の間隔を維持する複数個の円筒形状のスペーサ部材と、をさらに備えたものとする。
【００１６】
また、このようなドーム型の場合、連結された複数枚の枠板部材によって本体部の収容空間は上方から側面にわたって覆われるが、枠板部材同士の間隔による隙間が全体的に形成されたものであるため、本体部の収容空間を支える底面を設けるには、別の底板部材を組み合わせることになる。この場合、良好な通風性を得るために、底面を接地床面から間隔を持った高さ位置に設ける構成とする。
【００１７】
即ち、前記複数枚の枠板部材のそれぞれに、前記一対の脚部の前記床面上の同一高さ位置に対向して形成された一対の切欠き溝部を設け、底板部材の左右両端部が最前面の枠板部材から前記背面板部材に達するまで全ての一対の切り欠き溝部にわたってスライド挿入されることで前記収容空間の底面を形成する構成とする。この構成によって、背面板部材と複数枚の枠板部材との連結完了によって組み立てられた本体部に、同じ高さ位置に揃った左右両側の一対の切欠き溝部に底板部材の両端をスライドさせながら収納空間の奥側へ挿入するだけで床面が形成される。また分解時には、この底板部材を手前にスライドさせて本体部から抜き出すだけで済む。
【００１８】
なお、底板部材は、背面板部材や枠板部材と同じ素材であってもよいが、別の素材であってもよい。特に厚みが小さく軽量としてもある程度の強度が得られるものが好ましい。例えばアクリル板であれば、丸洗いも可能で衛生的に使用でき、好適である。また、さらなる通風性の向上のため、底板部材に多数の通気穴を分散して穿設しておいても良い。
【００１９】
上記のようなドーム型としては、例えば背面板部材および枠板部材の正面外形状がＡ字形に近いのものやＤ字の上部の形のものが主として考えられる。Ａ字形の場合、連結位置の３点は、二等辺三角形の各頂点位置に相当し、Ｄ字上部形の場合、底角の１つが直角となる直角三角形の各頂点位置に相当する。
【００２０】
また、ドーム型の本体部を構成する複数枚の枠板部材を全て同一形状のものとし、これら枠板部材に背面板部材の外形状も合致させれば、組み立てられるペットハウスは、収容空間の開口か奥行きに向かって一定の高さとなり、内部の収容空間も奥行き方向に均一な高さと幅となる。この場合、枠板部材は全て互いに交換可能であり、いずれかが破損しても、同一形状の予備があれば簡便に交換可能である。そして、ペットハウス自体の製造において、同一形状の枠板部材の量産は容易で在庫管理も簡便となる。
【００２１】
さらに、背面板部材と複数枚の枠板部材の外形状のサイズ及び枠板部材の枚数を相対的に大きくすれば、大型のペットハウスが得られ、前記外形状のサイズ及び枠板部材の枚数を相対的に小さくすれば、小型のペットハウスが得られるため、これらの設定を複数種類用意することで、各種サイズのペットハウスを提供できる。この場合、貫通軸の全長は異なるが、同じ径のものとし、板部材同士の間隔も統一すれば、同一形状のスペーサ部材を共通して利用できるため、製造、在庫管理に有利である。
【００２２】
なお、本体部は上記のような一定の高さとする形態に限らず、例えば、背面側から開口に向かって徐々に高くなるというデザイン性を持たせた構成も可能である。これは、開口をより大きくしてペットの出入りを容易にする構成でもある。この場合、最前面の枠板部材から背面板部材まで、各頂部の位置が徐々に低くなるため、頂部付近で部材同士を間隔を持って連結する一本の貫通軸が、全板部材を側面視で斜めに貫通できるように、各頂部付近に形成される貫通孔の位置と角度を設定しておくと同時に、スペーサ部材もその両端面を中心軸に対して貫通孔の傾斜角度に応じた傾斜面に設定すれば良い。
【００２３】
さらに、本体部の形態がドーム型である場合、最前面の枠板部材による内側空間が収容空間の開口になるため、これを扉部材で塞ぐ構成とすることで、ペットの収容状態を保持できる。この扉部材は、ある程度の強度があるものであれば、枠部材とは別種の薄くて軽量な素材から構成することができる。例えば、アクリル板であれば、光透過性を有しているため、扉が閉じていても内部が外側から目視しやすく、より好ましい。また、扉部材は、閉じた状態で枠板部材より外側へ突出する部分が無いように、最前面の枠板部材の外形状より小さい輪郭を有するものとすれば、近くを通る際にぶつかったり引っ掛かったりする危険はない。
【００２４】
扉部材の取り付け構成は、必要な別部材数を抑え、使用者にとってできるだけ簡便に取り付けることができると共に容易に開閉できる機構が望ましい。そこで、最前面とその直後の枠板部材の間の３つのスペーサ部材を取り付け部材として利用する構成が簡便である。具体的には、扉部材に最前面とその直後の枠板部材との間の３つのスペーサ部材にそれぞれ離脱可能に掛止される３つの凹部を扉部材の頂角部と底辺両側の底角部に形成すればよい。
【００２５】
これら３つの凹部のうち、頂角部に形成した凹部を前記頂部付近のスペーサ部材に回動可能に下方から遊嵌させ、両側底角部の凹部を下方の一対の脚部上方に配置された２つのスペーサ部材に上から下向きに引っ掛けるように載せるだけで、収納空間の開口を塞ぐ扉部材を設置できる。この頂角部の凹部は、頂部付近のスペーサ部材周りに回動可能であるため、扉部材は、前記頂部付近のスペーサ部材を中心とし前記頂角部の凹部で外方へ揺動することによって、前記開口に対して開状態へ変位できる。そして扉部材を逆向きに揺動して下方２つの凹部を下方２つのスペーサ部材上に掛止させれば、閉状態に戻すことができる。
【００２６】
なお、上記のように扉部材を取り付ける場合、組立時に、予め最前面とその直後の枠板部材との間の頂部のスペーサ部材の外周に、スペーサ部材の長さより扉部材の厚み分だけ短いスリーブ部材を装着しておけば、取り付け後の扉部材が後方へ移動するのを規制してスペーサ部材ですれてガタつくのを防ぐことができる。また、扉部材には、外周縁付近に開閉用の取手穴を設けておけば、開閉動作が容易となる。
【００２７】
また、ドーム型の本体部においては、連結された複数枚の枠板部材の下方の左右両側の切欠き溝部にスライド挿入される底板部材によってペットハウスの底面が形成されるため、枠板部材は、ペットハウスの天井から側面にわたる山形を形成する二辺部を備えていれば良い。しかし、その形状をより安定的に保持するために一対の脚部の間に一体的に形成された補強リブを備えたものを複数枚の枠板部材のうちの少なくとも一枚として含む構成としてもよい。この補強リブは、末広がり状態の二辺部を下端で繋ぐ底辺部となるため、特に上方からの負荷、例えば落下物の衝撃に対する強度が向上する。
【００２８】
なお、本発明の組立式ペットハウスでは、本体部の形態をベッド型とすることも可能である。この場合、前記背面板部材および前記複数枚の枠板部材を略Ｈ字形の外形状を有するものとすれば、連結された全板部材の上方に断面凹形状の収容空間を形成されるため、ここにベッド用マット部材を載置して用いることができる。このマット部材が載置される断面凹形状の底面は、枠板部材が間隔を持って並設されて簀の子状に構成されるため、通風性が高くマット部材がカビるようなこともなく、また分解して清掃できるため、衛生性が高いペットベッドとなる。
【００２９】
また、上記のようなベッド型に場合、背面板部材と最前面の枠板部材とについて、Ｈ字形の水平辺に相当する部分の高さを他の枠板部材の相当部分より高くしても良い。この高さ分が、ベッド用マットの載置空間の前後の側壁となり、マットの滑り落ちを防止できる。
【発明の効果】
【００３０】
本発明の組立式ペットハウスにおいては、以上説明した通り、木材製あるいは木材様板部材製の背面板部材と複数枚の枠板部材とが間隔を持って連結されて、内部にペット収容空間を形成する本体部が構成されるため、使用時の通風性が高く、且つ分解して各パーツを清掃できるため衛生的であると共に、従来よりも高い機械的強度が実現できるという効果がある。
【図面の簡単な説明】
【００３１】
【図１】本発明の第１の実施形態による正面形状が略Ａ字型であるドーム型の組立式ペットハウスを示す組立後の概略構成図であり、（ａ）は全体を示す斜視図、（ｂ）は正面図、（ｃ）は側面図、（ｄ）は背面図、（ｅ）は連結機構を示す部分側断面図、（ｆ）は固定機構を示す部分拡大断面図である。
【図２】図１のペットハウスの組立手順を示す説明図であり、（ａ）〜（ｅ）は各組立段階の状態を示す概略側面図である。
【図３】図１の組立式ペットハウスに扉部材を取り付けた場合を示す概略構成図であり、（ａ）は扉開状態で示す全体斜視図、（ｂ）は側面図、（ｃ）は扉閉状態の正面図、（ｄ）はスリーブ部材の装着状態を示す部分側断面図である。
【図４】図１又は図２の本体部の背面板部材の変形例を示す説明図であり、（ａ）は背面板部材のみの正面図、（ｂ）はＸ−Ｘ矢視部分の構成の一例を示す断面拡大図、（ｃ））は（ｂ）とは別の構成の例を示す断面拡大図である。
【図５】本発明の第２の実施形態による正面形状が略Ｄ字上部型であるドーム型の組立式ペットハウスを示す概略構成図であり、（ａ）は全体を示す斜視図、（ｂ）は補強リブなしの枠板部材の正面図、（ｃ）は補強リブ有りの枠板部材の正面図である。
【図６】本発明の第３の実施形態によるベッド型の組立式ペットハウスを示す概略構成図であり、（ａ）は全体を示す斜視図、（ｂ）は正面図、（ｃ）は２枚目以降の枠板部材の正面図であり、（ｄ）はＹ−Ｙ矢視の側断面図である。
【発明を実施するための形態】
【００３２】
実施形態１
本発明の第１の一実施形態による組立式ペットハウスとして、正面視で略Ａ字形でドーム型のものを図１に示す。図１（ａ）は、組立後の全体構成を示す概略斜視図、（ｂ）は概略正面図、（ｃ）は概略側面図、（ｄ）は概略背面図、（ｅ）は連結機構を示す部分側断面図、（ｆ）は固定機構を示す部分拡大断面図である。
【００３３】
本第１実施形態では、比較的中型で高さが一定の組立式ペットハウス１として、厚さ１８ｍｍの同じＭＤＦから高さ７８０ｍｍ、最大横幅６３９ｍｍで左右対称の同一外形状で作製した一枚の背面板部材１０と１１枚の枠板部材１１を並設状態で連結して本体部２が構成されるものである。
【００３４】
なお、本実施形態では、背面板部材１０と１１枚の枠板部材１１の輪郭は、頭頂部が円弧で両側へなだらかな曲線で据え広がりとなる山形であり、左右両下端部に床面に接地される平行な一対の脚部（１０Ｒ，１０Ｌ，１３Ｒ，１３Ｌ）が設けられてる。枠板部材１１の内側形状の輪郭も頭頂部を円弧として両側辺はなだらかな曲線で一対の脚部（１３Ｒ，１３Ｌ）の平行な内側辺に連続している。連結された１１枚の枠板部材１１の内側にペットの収容空間３が形成されるが、各枠板部材１の厚み分のなだらかな内側曲面が間隔を持って並んで収容空間３の実質的な内壁面が形成される。
【００３５】
背面板部材１０と各枠板部材１１には、連結機構として、貫通軸（７Ｔ，７Ｒ，７Ｌ）が背面板部材１０と全ての枠板部材１１に貫通挿入されるための貫通孔がそれぞれ３つずつ同じ投影位置に形成されている。すなわち、背面板部材１０の頂部付近１０Ｔおよび枠板部材１１の頂部付近１２Ｔと、背面板部材１０の一対の脚部（１３Ｒ，１３Ｌ）の上方および枠板部材１１の一対の脚部（１３Ｒ，１３Ｌ）の上方の同一高さ位置で、それぞれ互いを結ぶ直線で二等辺三角形が形成される点に、貫通軸が挿通可能な同一口径で貫通孔（１４Ｔ，１４Ｒ，１４Ｌ）が穿設されている。
【００３６】
また連結時には、背面板部材１０と枠板部材１１および枠板部材１１同士の間に、各貫通軸（７Ｔ，７Ｒ，７Ｌ）を内部貫通穴６に挿通状態で円筒状のスペーサ部材５が配置されている。本実施形態においては、各スペーサ部材５の軸方向長さを５０ｍｍとした。従って、組み立てられた本体部２において、背面板部材１０と枠板部材１１および枠板部材１１同士の間に５０ｍｍの間隔が保持される。
【００３７】
各貫通軸（７Ｔ，７Ｒ，７Ｌ）は、背面板部材１０と全ての枠板部材１１が連結された状態で背面板部材１０の外表面から最前面の枠板部材１１Ｆの外表面までにわたる長さを備え、その両端に雌ねじ加工が施されたものである。この貫通軸（７Ｔ，７Ｒ，７Ｌ）の両側に穿設された雌ねじ部８と、該雌ねじ加工に螺合する雄ねじ部を有すると共に前記貫通孔（１４Ｔ，１４Ｒ，１４Ｌ）の口径より大きい径の頭部を有する固定ねじ９とによって連結状態の固定機構が構成される。
【００３８】
したがって、背面板部材１０と全ての枠板部材１１の各貫通孔にスペーサ部材５を介在させて挿通した状態の各貫通軸の両側で雌ねじ部８に固定ねじ９がネジ締めされると、背面板部材１０の外表面に当接する一端側の固定ねじ９の頭部と、最前面の外表面に当接する他端側の固定ねじ９の頭部との間で、背面板部材１０と全ての枠板部材１１とが挟まれた状態で固定されることとなる。なお、本実施形態では、固定ねじ９として皿頭ねじを用い、該頭部に嵌合するＪＢワッシャー１８を介して締結することで、ねじ締めによる固定状態が安定して維持できるものとした。また、組立後、ねじ頭部の露出が好まれない場合には、例えばねじ頭部の十字穴等に嵌め込むビスキャップ１９でねじ頭部を隠す構成としても良い。
【００３９】
以上のように組み立てられた本体部２は、背面板部材材１０及び１１枚の枠板部材１１が正面視で３点位置において互いに連結されているが、いずれも同一の連結機構および固定機構を採用しているため、同一形状の貫通軸およびスペーサ部材、固定ねじが共通して使用できる。
【００４０】
連結固定が完了して組み立てられた本体部２は、厚みのある枠板部材１１が収容空間３の奥行き方向に沿ってスペーサ部材５による間隔を持って並設されているため、通風性に優れると共に、従来の紙、布あるいは段ボール製のパネルやプレートで四側面を形成する組立式ペットハウスに比べて格段に機械的強度が向上したものとなる。また、固定ねじ９を緩めて取り外せば、各貫通軸（７Ｔ，７Ｒ，７Ｌ）から枠板部材１１とスペーサ部材５を抜き取って簡単に分解できる。さらに分解された各部材を清掃して再組立あるいは収納しておくことができ、長期にわたって衛生的に使用できる。
【００４１】
また、各枠板部材１１の一対の脚部（１３Ｒ，１３Ｌ）の内側には、床面上の同一高さ位置に対向して一対の切欠き溝部（１５Ｒ，１５Ｌ）が形成されている。最前面の枠板部材１１Ｆから全枠板部材１１にわたって、一対の切欠き溝部内に左右両側端辺部をスライドさせながら底板部材１６を背面板部材１０の内面に達するまで挿入することによって、収容空間３の底面が形成される。この底板部材１６には、薄くて軽量でも強度のある厚み５ｍｍのアクリル板を用いた。この構成によって、底面と床面との間に通風空間が形成される。さらに、底板部材１６に多数の通気穴１７を分散して穿設することで、ペットハウスに更なる通気性を付与できる。また、アクリル板は丸洗いできるため、特に汚れやすい底面の衛生性を高めることができる。
【００４２】
以上の構成を備えた組立式ペットハウス１の実際の組立の手順として、最も容易なのは、図２に示すように、背面板部材１０から前方へ向かって順次枠板部材１１を重ねるように組み込んでいく方法である。具体的には、まず図２（ａ）に示すように、背面板部材１０の３つの貫通孔（１４Ｔ，１４Ｒ，１４Ｌ）にそれぞれ貫通軸（７Ｔ，７Ｒ，７Ｌ）の一端部を挿入して各端部の雌ねじ部８に外表面側からＪＢワッシャー１８を介して固定ねじ９を螺合してねじ止め固定しておく。
【００４３】
次いで、図２（ｂ）に示すように、背面板部材１０の前面側に突出する３本の貫通軸（７Ｔ，７Ｒ，７Ｌ）のそれぞれに、スペーサ部材５を嵌め込ませてから枠板部材１１の３つの貫通孔（１４Ｔ，１４Ｒ，１４Ｌ）にこれら各貫通軸（７Ｔ，７Ｒ，７Ｌ）を挿通させながら該枠板部材１１を背面板部材１０の前面にスライドさせてスペーサ部材５の長さ分の間隔をもって並設する。その後同様に、図２（ｃ）に示すように、順次スペーサ部材５と枠板部材１１を並設させていく。
【００４４】
１１枚の枠板部材１１が全てスペーサ部材５を間に並設されたら、図２（ｄ）に示すように、最前面の枠板部材１１の外表面側から、各貫通軸（７Ｔ，７Ｒ，７Ｌ）の他端部の雌ねじ部８に、それぞれＪＢワッシャー１８を介して固定ねじ９を螺合させ、ねじ止め固定する。これによって、背面板部材１０と１１枚の枠板部材１１の連結が完了し本体部が２が組み立てられる。なお、各固定ねじ９の頭部にビスキャップ１９を嵌めてもよい。
【００４５】
最後に、本体部２が組み立てられて奥行き方向に同一高さ位置に並んだ左右一対の切欠き溝部（１５Ｒ，１５Ｌ）に、その先端辺が背面板部材１０の前面に達するまでアクリル板製の底板部材１６をスライド挿入する。これによって、背面板部材１０の前面と１１枚の枠板部材１１の内側端辺の曲面と、底板部材１６の上面（底面）によって囲まれた通風性の高いペット収容空間３が形成される。
【００４６】
また、このペット収容空間３の開口を開閉可能に塞ぎたい場合には、図３に示すように、扉部材２０を最前面の枠板部材１１Ｆの後面に揺動可能に設置する。図３の（ａ）は、扉部材が装着された組立式ペットハウスの全体構成を示す概略斜視図、（ｂ）は側面図、（ｃ）は正面図であり、図３の（ｄ）はスリーブ部材装着部分の部分拡大断面図である。本実施形態では、厚み５ｍｍの透明なアクリル板から、枠板部材１１の外形状より小さい輪郭で切り出したものを扉部材２０とした。従って、その外形状は緩やかな曲線からなる略Ａ字の山形である。
【００４７】
この扉部材２０には、本体部２への装着部として、頂部に、深さがあり上向きに開放された凹部２１Ｔが形成され、底辺両側の底角部に、下向きに開放された一対の凹部（２１Ｒ，２１Ｌ）が形成されている。本体部２側の装着部としては、最前面の枠板部材１１Ｆとその直後の枠板部材１１との間で頂部付近と一対の脚部上方に配置された３つのスペーサ部材（５ＦＴ，５ＦＲ，５ＦＬ）が利用される。
【００４８】
即ち、頂部付近のスペーサ部材５ＦＴに対して頂部の凹部２１Ｔを下方から遊嵌させ、下方の２つのスぺーサ部材（５ＦＲ，５ＦＬ）に底角部の一対の凹部（２１Ｒ，２１Ｌ）を上から載せるように掛止することによって、扉部材２０が収容空間３の開口を塞ぐ閉状態で取り付けることができる。
【００４９】
なお、扉部材２０がスペーサ部材上で前後方向に摺動してガタつくことがないように、頂部のスペーサ部材５ＦＴの外周には、スペーサ部材の長さより少なくとも扉部材２０の厚み分だけ短い長さ、ここでは４３ｍｍのスリーブ部材２３が嵌め込んである。このスリーブ部材２３は、予め組立時において、最前面の枠板部材１１Ｆを組み込む前に、スペーサ部材５ＦＴに被せて配置しておけば良い。
【００５０】
また、頂部の凹部２１Ｔが前記頂部付近のスペーサ部材５ＦＴ周りに回動可能であり、扉部材２０が前記スペーサ部材５ＦＴを中心として揺動可能であり、該揺動によって開閉動作がなされる。扉部材２０の外周縁付近には取手穴２２が形成されており、この取手穴２２に手を掛けて、前記底角部の一対の凹部（２１Ｒ，２１Ｔ）を下方のスペーサ部材（５ＦＲ，５ＦＬ）から上方へ持ち上げて外しながら揺動させるだけで、扉部材２０を開状態にすることができる。
【００５１】
以上の第１実施形態では、中型のものとしての組立式ペットハウスを示したが、これより背面板部材および枠板部材のサイズを大きくし、連結される枠板部材の枚数を多く設定することで、上記第１実施形態のものより大型のペットハウスが構成でき、逆に背面板部材および枠板部材のサイズを小さくし、連結される枠板部材の枚数を少なく設定すれば、小型のペットハウスが構成できる。いずれの場合にも、同じ連結機構および固定機構を採用することによって、貫通軸の長さが異なるだけで、スペーサ部材や固定ねじ等は共通の部品が使用できる。
【００５２】
また以上の実施形態では、底板部材１６は、一対の脚部（１３Ｒ，１３Ｌ）に対向して形成された左右一対の切欠き溝部（１５Ｒ，１５Ｌ）によって支持される構成となっているが、背面板部材１０にも底板部材１６を支持するための機構をさらに設ければ、底板部材１６の安定性が増す。例えば、図４に示すように、背面板部材１０の前面の底板部材１６の先端面が当接する部位に、底板部材１６の先端部が嵌入する凹条部２４（図４（ｂ））や貫通するスリット２５（図４（ｃ））を設けておけば良い。スリット２５に貫通できる構成とした場合には、正面側と背面側のどちらからでも底板部材１６の装着および取り外しができる。
【００５３】
実施形態２
また、上記実施形態１では、正面視で左右対称形状の略Ａ字形のドーム型ペットハウスを示したが、本発明よるドーム型のペットハウスは、これに限らず、正面視で左右非対称形状のものであっても良い。そこで、本発明の第２の実施形態として、図５に大型タイプとして、正面視で略Ｄ字上部形のドーム型組立式ペットハウスを示す。図５の（ａ）は全体構成を示す概略斜視図であり、図５の（ｂ）（ｃ）は、本体部を構成する２種類の枠板部材を示す正面図である。
【００５４】
本第実施形態２においては、連結機構および固定機構は図１、２のものと同じであり、用いる部品も貫通軸の長さが異なるだけで、スペーサ部材および固定ねじには同一形状の部品が共通して使用できる。
【００５５】
また、本体部を構成する背面板部材および枠板部材の形態も、略山形で下端部に一対の脚部を備え、その上方に一対の切欠き溝部および一対の貫通孔が形成されていると供に頂部付近に貫通孔が形成されているという点で基本的には図１のものと共通する。
【００５６】
具体的には、本実施形態では、高さが一定の大型組立式ペットハウス３１として、厚さ１８ｍｍの同じＭＤＦから最大高さ８８６ｍｍ、最大横幅７７０ｍｍで同一外形状で作製した一枚の背面板部材３４と１５枚の枠板部材３５を並設状態で連結して本体部３２が組み立てられ、連結された１５枚の枠板部材３５の内側にペットの収容空間３３が形成される。
【００５７】
背面板部材３４と１５枚の枠板部材３５の下端部には、床面に接地される一対の脚部（３６Ｒ，３６Ｌ）を備え、その上方に一対の貫通孔（３７Ｒ，３７Ｌ）が形成され、頂部付近にも貫通孔３７Ｔが形成されている。本実施形態では、正面視で３つの貫通孔が直線で結ばれて直角三角形を形成する３点に形成されている。また、一対の脚部（３６Ｒ，３６Ｌ）の床面から同一高さ位置、ここでは４６ｍｍの高さ位置に、対向する一対の切欠き溝部（３９Ｒ，３９Ｌ）が底板部材３０のスライド挿入用に形成されている。
【００５８】
実施形態１と同様に、背面板部材３４と全枠板部材３５の３つの貫通孔に、背面板部材３４と枠板部材３５の間および枠板部材３５同士の間にスペーサ部材５を介在させながら貫通軸を挿通してその両側の雌ねじ部８に固定ねじ９をＪＢワッシャー１８を介してねじ止め固定することで、背面板部材３４と１５枚の枠板部材３５が間隔を持って連結固定される。これらの組立は、枠板部材３５の枚数は異なるが図２に示したものと同じ手順で行える。
【００５９】
ただし、本実施形態２においては、背面板部材３４と１５枚の枠板部材３５の外形状が正面視略Ｄ字上部の形を有することで、組立後のペットハウス３０の外側および収容空間３３内に垂直な面が形成され、図５（ａ）に示すように、この垂直面によってペットハウス３０を室内の壁面に沿って設置することができる。また、収容空間内ではペットが寄りかかれる内壁面を提供する。
【００６０】
また、本実施形態においては、枠板部材３５として２種類のものを用意した。即ち、図５（ｂ）に示すように、一対の脚部（３６Ｒ，３６Ｌ）同士が離れたままの第１の枠板部材３５Ａと、一対の脚部の間に一体的に形成された補強リブ３８が設けられた第２の枠板部材３５Ｂである。大型のペットハウスを構成する枠板部材３５においては、上方からの負荷や内側から外側への圧力が作用した際に、一対の脚部（３６Ｒ，３６Ｌ）同士が離れる方向に枠板部材３５の左右両側が拡がろうとする力が大きくなるため、本体部３２の形状が歪んでしまう恐れもある。
【００６１】
そこで、脚部（３６Ｒ，３６Ｌ）同士が補強リブ３８によって一体に繋がった第２の枠板部材３５Ｂが混在して連結されれば、本体部３２全体として収容空間の下方の拡がりが抑えられ、形状が安定して保持され、機械的強度の向上する。本実施形態では、例えば、１５枚の枠板部材３５のうち、第１の枠板部材３５Ａの２枚おきに第２の枠板部材３５Ｂを配置した。これによって、大型のペットハウスであっても、組立後の形状の安定性が高いため、長期にわたって安心して使用できる。
【００６２】
なお、大型のペットハウスでは、大重量ペットの収容の可能性を鑑みて、より高い強度を確保するために底板部材３０を小型や中型のものより厚みの大きいものとすることが考えられる。この場合、予め底板部材３０を左右で支持する切欠き溝（３９Ｒ、３９Ｌ）の高さ幅をその厚みに対応させておけば済む。また、背面板部材３４に、図４の（ｂ）（ｃ）に示したものと同様に、底板部材３０の先端部が嵌入する凹条部や貫通するスリットを設けてより安定した支持を得る構成とするのが好ましい。
【００６３】
実施形態３
以上の実施形態においては、ドーム型のペットハウスに関して説明したが、本発明においては、ベッド型のペットハウスも構成できる。本発明の第３の実施形態として、図６に、外形状が正面視で略Ｈ字形である背面板部材４４および１１枚の枠板部材４５が連結されて簀の子状の本体部４２が構成される中型のベッド型ペットハウス４１を示す。
【００６４】
本第実施形態３においてもは、連結機構および固定機構が実施形態１と同じであり、且つ各板部材の厚みと枚数、間隔が同じであるため、連結に用いる貫通軸、スペーサ部材および固定ねじに同一形状の部品が共通して使用できる。
【００６５】
具体的には、本実施形態では、厚さ１８ｍｍの同じＭＤＦから最大高さ１３０ｍｍ、最大横幅６３９ｍｍで略Ｈ字形状で作製した一枚の背面板部材４４と１１枚の枠板部材４５を並設状態で連結して本体部４２が組み立てられるものである。但し、背面板部材４４ののＨ字形の水平辺部と最前面の枠板部材４５ＦのＨ字の水平辺部４７Ｆの高さを他の枠板部材４４の水平辺部４７より高くしいる。このためこれらが連結された本体部４２では、背面板部材４４と最前面の枠板部材４５Ｆの間で１０枚の枠板部材４５のＨ字形の上方にベッド用マット４０が載置される断面凹状のベッドとしての収容空間４３が形成される。
【００６６】
背面板部材４４と１１枚の枠板部材４５のＨ字形の下端部には、床面に接地される一対の脚部（４６Ｒ，４６Ｌ）を備え、その上方に一対の貫通孔が形成されている。本実施形態では、連結部はこの一対の貫通孔による２点である
【００６７】
各連結部は、実施形態１と同様に、背面板部材４４と全枠板部材４５の一対の貫通孔４８に、背面板部材４４と枠板部材４５の間および枠板部材４５同士の間にスペーサ部材５を介在させながら貫通軸７を挿通してその両側の雌ねじ部８に固定ねじ９をワッシャーを介してねじ止め固定することで、背面板部材４４と１１枚の枠板部材４５が間隔を持って連結固定される。これらの組立は、連結部の数が２つと少ないだけで、図２に示したものと同じ手順で行える。
【００６８】
組み立てられた本体部４２からなるベッドは、その底面が、間隔を持って並設された枠板部材４５のＨ字形の水平辺部４７の上端面によって簀の子状に形成されるため、通気性が高く、載置されるマットに湿気がこもってカビてしまうことはない。
【００６９】
また、上記実施形態３の場合より背面板部材および枠板部材のサイズを大きくして枠板部材の枚数を多くすれば、より大型のベッド型ペットハウスが構成でき、逆に背面板部材および枠板部材のサイズを小さくして枠板部材の枚数を少なくすれば、小型のベッド型ペットハウスが構成できる。しかし、いずれの場合も、貫通孔の長さは異なるが、連結機構および固定機構が同じものであれば、スペーサ部材５および固定ねじ９として共通の部材が使用できる。
【００７０】
なお、上記実施形態では、本体部を構成する背面板部材および枠板部材をＭＤＦ製とした例を説明したが、本発明はこれに限らず、様々な材質の板材を採用可能である。例えば、アクリル樹脂を初め、各種合成樹脂製の板材としてもよい。この場合、所定の外形状に切り出すだけでなく、成形型を用いて最初から成形することも可能である。また、天然木や各種木質ボードの単体あるいは複合体、さらには表面コーティング処理を施したものとしても良い。本体部を構成する板部材は、木質製でもコーティングが防水性のものであれば、合成樹脂製の場合と同様に汚れ難く、また丸洗いや消毒もできるため、より衛生的に長期の使用や収納保管が可能となる。
【符号の説明】
【００７１】
１，３１：ドーム型の組立式ペットハウス
２，３２，４２：本体部
３，３３，４３：収容空間
５：スペーサ部材
６：内部貫通穴
７，７Ｔ，７Ｒ，７Ｌ：貫通軸
８：雌ねじ部
９：固定ねじ
１０，３４，４４：背面板部材
１１，３５，３５Ａ，３５Ｂ，４５：枠板部材
１０Ｔ，１２Ｔ：頂部付近
１０Ｒ，１０Ｌ，１３Ｒ，１３Ｌ、３６Ｒ，３６Ｌ，４６Ｒ，４６Ｌ：脚部
１４Ｔ，１４Ｒ，１４Ｌ，３７Ｔ、３７Ｒ，３７Ｌ，４８：貫通孔
１５Ｒ，１５Ｌ，３９Ｒ，３９Ｌ：切欠き溝部
１６，３０：底板部材
１７：通気穴
１８：ワッシャー
１９：ビスキャップ
２０：扉部材
２１Ｔ：凹部（頂部）
２１Ｒ，２１Ｌ：凹部（底角部）
２２：取手穴
２４：凹条部
２５：貫通スリット
２３：スリーブ部材
３８：補強リブ
４０：ベッド用マット
４１：ベッド型ペットハウス
４７，４７Ｆ：水平辺部
【図１】
2020115808.tif 000003
【図２】
2020115808.tif 000004
【図３】
2020115808.tif 000005
【図４】
2020115808.tif 000006
【図５】
2020115808.tif 000007
【図６】
2020115808.tif 000008